(57)【要約】      （修正有）【課題】振動器の接着部分が汚れる場合にあっても使用が中断されることが少なく、かつ、振動器の交換も要せず使用者の経済的な負担も緩和することができる美容マスク装置を提供する。【解決手段】顔に装着されるマスク本体部１０を有する美容マスク２と、マスク本体部１０に装着される振動器６０を有しマスク本体部１０を介して顔に振動を発生させる振動発生機３と、を備える美容マスク装置１において、振動発生機３は、振動器６０を挿抜自在に収納する振動器ハウジング９０を有するとともに、振動器ハウジング９０は、マスク本体部１０と着脱自在に接着する接着部を含む。【選択図】図１
0003185188.tif 000002
【実用新案登録請求の範囲】
【請求項１】
顔に装着されるマスク本体部を有する美容マスクと、前記マスク本体部に装着される振動器を有し前記マスク本体部を介して前記顔に振動を発生させる振動発生機と、を備える美容マスク装置において、
前記振動発生機は、前記振動器を挿抜自在に収納するハウジングを有するとともに、前記ハウジングは、前記マスク本体部と着脱自在に接着する接着部を含むことを特徴とする美容マスク装置。
【請求項２】
前記ハウジングは、前記振動器が収納される収納空間部と、該収納空間部に前記振動器を挿入する挿入口と、を有し、前記収納空間部および前記挿入口の寸法は、前記振動器の寸法よりも小さく設定されることを特徴とする請求項１に記載の美容マスク装置。
【請求項３】
前記ハウジングは、可撓性を有する材料で形成されることを特徴とする請求項２に記載の美容マスク装置。
【請求項４】
前記ハウジングは、前記挿入口と異なるに位置に設けられ、前記収納空間部と連通する孔を有することを特徴とする請求項３に記載の美容マスク装置。
【考案の詳細な説明】
【技術分野】
【０００１】
本考案は、美容マスク装置に関し、特に顔に振動を発生させる振動器を備え、該振動器を美容マスクに着脱自在に接着させることができる美容マスク装置に関する。
【背景技術】
【０００２】
従来から美容マスクと振動器を用いた顔の美容方法やスキンケアが広く行われている。すなわち、例えば、特許文献１に開示された皮膚吸収向上装置（美容マスク装置）においては、図１４に示すように、顔の所定部位にパッチ１１０を貼り付けた状態でパッチ１１０の上から顔に美容マスク１２０を装着しつつ、美容マスク１２０のパッチの貼り付け部位に振動器１４０を取り付けて該貼り付け部位に振動を発生させ、これにより、顔の血液の循環および細胞の活性化を促進させてパッチ１１０の有効成分を効果的に顔に吸収させ、顔の皺をのばし健康で美しい肌を維持することができる。
【先行技術文献】
【特許文献】
【０００３】
【特許文献１】韓国特許公報１０−０８３７０８３号
【考案の概要】
【考案が解決しようとする課題】
【０００４】
ところで、上述した振動器の取り付け側は、美容マスクに容易に取り付け可能なように、一般に接着性のある材料で形成されており、この振動器の接着部分（取り付け部分）は、美容マスクへの接着により塵が付着する等汚れることが多い。このような場合にあっては、美容マスク装置の使用を中断して振動器をいちいち洗浄する等、美容マスク装置の使用に支障をきたすことが多かった。また、汚れが酷い場合には、振動器を交換することもあり、使用者の経済的な負担も大きく、使用者から強く改善が求められていた。
【０００５】
本考案はこのような事情に鑑みてなされたもので、振動器の接着部分が汚れる場合にあっても使用が中断されることが少なく、かつ、振動器の交換も要せず使用者の経済的な負担も緩和することができる美容マスク装置を提供することを目的とする。
【課題を解決するための手段】
【０００６】
上記目的を達成するために、請求項１に係る考案は、顔に装着されるマスク本体部を有する美容マスクと、マスク本体部に装着される振動器を有しマスク本体部を介して顔に振動を発生させる振動発生機と、を備える美容マスク装置において、振動発生機は、振動器を挿抜自在に収納するハウジングを有するとともに、ハウジングは、マスク本体部と着脱自在に接着する接着部を含むことを特徴とする。
【０００７】
本考案によれば、振動発生機は、振動器を挿抜自在に収納するハウジングを有するとともに、ハウジングは、マスク本体部と着脱自在に接着する接着部を含むこととしたので、接着部分が汚れる場合にあっても振動器からハウジングを外して予備のハウジングを振動器に装着すればよく、美容マスク装置の使用が中断されることが少ない。また、汚れが酷い場合にあっても、振動器の交換を要することなくハウジングの交換をすれば足りるので使用者の経済的な負担も緩和することができる。
【０００８】
ハウジングは、振動器が収納される収納空間部と、該収納空間部に振動器を挿入する挿入口と、を有し、収納空間部および挿入口の寸法は、振動器の寸法よりも小さく設定されることとすれば、振動器を隙間なく収納空間部に収納することができ、振動器による振動をハウジングを介して顔に確実に伝達することができる。また、挿入口を振動器の寸法よりも小さく設定することで、ハウジングから振動器が抜け出すことを確実に防止することができる（請求項２）。
【０００９】
ハウジングは、可撓性を有する材料で形成されることとすれば、収納空間部および挿入口の寸法を振動器の寸法よりも小さく設定しても、ハウジングを変形させながら振動器を収納することができ、振動器の挿入動作を容易に行うことができる（請求項３）。
【００１０】
ハウジングは、挿入口と異なるに位置に設けられ、収納空間部と連通する孔を有することとすれば、振動器を挿入口から挿入する際に収納空間部が密閉空間とならず空気を外部に抜きながら振動器を挿入することができ、振動器の挿入動作を更に容易に行うことができる（請求項４）。
【考案の効果】
【００１１】
本考案によれば、振動器の接着部分が汚れる場合にあっても使用が中断されることが少なく、かつ、振動器の交換も要せず使用者の経済的な負担も緩和することができる。
【考案を実施するための最良の形態】
【００１２】
〔美容マスク装置の全体構成〕
以下、本考案の実施形態について図面を参照して詳細に説明する。なお、以下においては人の左手側を左側、右手側を右側、背後側を後側として説明するものとする。図１は本考案の実施形態を示す美容マスク装置の全体構成を示す図である。同図を参照して美容マスク装置１の概要を説明すると、美容マスク装置１は、美容マスク２と振動発生機３とを有しており、顔の所定部位にパッチ１００を貼り付けた状態で顔に美容マスク２を装着しつつ、振動発生機３により顔のパッチ１００の貼り付け部位に振動を発生させることができる。
【００１３】
〔美容マスクおよびマスク本体部の構成〕
美容マスク２は、マスク本体部１０と引っ張り部２０を有している。
マスク本体部１０は、人の顔の形状に形成されており、平面的に見ると略楕円形をなしている。すなわち、マスク本体部１０は、顔の目、鼻、口に相当する部分に開口１１乃至１５が設けられるとともに、顔の全体に至り、顔に装着したときに額、頬、顎を覆うように形成されている。このマスク本体部１０は、可撓性、伸縮性、および弾力性を有する軟質な材料で形成されており、顔の形状に応じて柔軟に変形や伸縮をさせながら容易に顔に密着して装着することができる。また、マスク本体部１０は、吸着性乃至接着性を有する材料で形成されており、顔に対する密着した装着状態を安定して維持することができる。
【００１４】
〔マスク本体部およびパッチの材質〕
本考案においては、マスク本体部１０を形成する材料として、シリコンが採用されている。マスク本体部１０を形成する材料としては、シリコンの他にポリビニルアルコール（ＰＶＡ）、キトサン（Ｃｈｉｔｏｓａｎ）、ポリエチレンオキサイド（ＰＥＯ）、PET-PEB blend（ポリエチレンテレフタレートとポリブチレンテレフタレートのブレンド）、およびポリウレタン（ＰＵ）等、またはシリコンも含めてこれらの混合物等の天然素材および生体適合性素材が使用可能である。このような材料を使用することで、マスク本体部１０の長時間の装着による肌アレルギーや肌刺激も防止することができる。
【００１５】
このように構成されたマスク本体部１０は、パッチ１００を顔の所定部位に貼り付けた状態でパッチ１００の上から顔に装着される。本考案においては、パッチ１００は、生体親和性素材、生体適合性素材を用いて形成されている。このパッチ１００の素材には、振動発生機３による振動等の物理的な力によっても変形や物性の変化がないこと、有効成分の肌への伝達が容易であること等が更に要求される。つまり、パッチ１００の素材としては、凍結乾燥シート、カーゼ、不織布、フィルム、ハイドロゲル等が更に用いられる。なお、パッチ１００は薄いシート状をなしており、有効成分の一定量を一定時間で投与すべく構成されている。
【００１６】
〔引っ張り部の構成〕
引っ張り部２０は、マスク本体部１０を左右方向に引っ張る左右方向引っ張り部３０と、高さ方向に引っ張る高さ方向引っ張り部５０と、を有しており、顔の表皮を左右方向および高さ方向に引っ張ることができる。
【００１７】
〔左右方向引っ張り部の構成〕
左右方向引っ張り部３０は、左方向引っ張り部３０ａと、右方向引っ張り部３０ｂと、を有している。
図２に示すように、左方向引っ張り部３０ａは、顔の左側に設けられ、マスク本体部１０の左側端部１６ａから延びるように形成されている。すなわち、左方向引っ張り部３０ａは、左側基部３１ａと連結部３２ａと左方向延長部３３ａを有しており、左側基部３１ａは、目の高さ相当位置に、かつ、マスク本体部１０の左側端部１６ａに設けられている。左方向延長部３３ａは、連結部３２ａを介して左側基部３１ａと連結しており、左方向に延びている。
【００１８】
ここで、左側基部３１ａは、マスク本体部１０の左側端部１６ａ、上側輪郭線３４ａ、下側輪郭線３５ａ、および後側輪郭線３６ａに囲まれた領域として設定されている。すなわち、上側輪郭線３４ａは、マスク本体部１０の左側の額相当部の輪郭線３７ａと所定の曲線もって滑らかに連続するように形成されている。また、下側輪郭線３５ａは、マスク本体部１０の左側の顎相当部の輪郭線３８ａと所定の曲線をもって滑らかに連続するように形成されている。更に、後側輪郭線３６ａは、上側輪郭線３４ａの後端と下側輪郭線３５ａの後端を高さ方向に結んで形成されている。
つまり、このように形成された左側基部３１ａは、左側方に延び、かつ、左側方に行くにしたがって幅寸法が漸次減少するようにハの字状に形成され、左方向延長部３３ａは後側輪郭線３６ａ側から左方向に延びるように形成されている。
【００１９】
図１に戻り、右方向引っ張り部３０ｂは、左方向引っ張り部３０ａと顔の左右方向の中心ライン４５を介して対称な位置に設けられている。すなわち、図３に示すように、右方向引っ張り部３０ｂは、顔の右側に設けられ、マスク本体部１０の右側端部１６ｂから延びるように形成されている。
つまり、右方向引っ張り部３０ｂも同様に、右側基部３１ｂと連結部３２ｂと右方向延長部３３ｂを有しており、右側基部３１ｂも、目の高さ相当位置に、かつ、マスク本体部１０の右側端部１６ｂに設けられている。右方向延長部３３ｂは、右側基部３１ｂと連結部３２ｂを介して連結し、右方向に延びている。
【００２０】
右側基部３１ｂも、右側端部１６ｂ、上側輪郭線３４ｂ、下側輪郭線３５ｂ、および後側輪郭線３６ｂに囲まれた領域として設定されており、上側輪郭線３４ｂは、右側の額相当部の輪郭線３７ｂと所定の曲線もって滑らかに連続するように形成され、下側輪郭線３５ｂは、右側の顎相当部の輪郭線３８ｂと所定の曲線をもって滑らかに連続するように形成され、後側輪郭線３６ｂは、上側輪郭線３４ｂの後端と下側輪郭線３５ｂの後端を高さ方向に結んで形成されている。
つまり、このように形成された右側基部３１ｂは、右側方に延び、かつ、右側方に行くにしたがって幅寸法が漸次減少するようにハの字状に形成され、右方向延長部３３ｂは後側輪郭線３６ｂ側から右方向に延びるように形成されている。
【００２１】
以上の如く構成された左方向引っ張り部３０ａおよび右方向引っ張り部３０ｂは、それぞれ後頭部まで達する。つまり、各延長部３３ａ，３３ｂを引っ張った状態で相互に終端部４５ａ，４５ｂを後頭部で締結する。これにより、図４および図５に示すように、各延長部３３ａ，３３ｂの引っ張り力が左右の基部３１ａ，３１ｂを介してハの字状に広がりながらマスク本体部１０の全体に行き渡り左右方向の広範囲に渡って顔の表皮が引っ張られる。よって、顔の皺を広範囲に渡ってのばしつつ同時にシェイプアップすることができ、従来にも増して美顔効果を更に一層向上させることができる。
【００２２】
なお、上述からも明らかなように、本考案において左方向引っ張り部３０ａおよび右方向引っ張り部３０ｂの引っ張り方向は、左方向延長部３３ａおよび右方向延長部３３ｂが相互に締結される方向つまり顔の側部から後頭部に延びる方向として定義される。より詳しくは、図６に示すように、本考案においては、左右方向引っ張り部３０の引っ張り方向は、水平軸方向に対し＋１０°乃至−１０°の範囲に設定される。この引っ張り方向は、水平軸方向つまり水平方向０°に設定するのが好ましく、図１乃至図５に示す実施形態においても左右の引っ張り方向を水平方向０°に設定した例を示している。
【００２３】
〔高さ方向引っ張り部の構成〕
図１に戻り高さ方向引っ張り部５０は、左側高さ方向引っ張り部５０ａと右側高さ方向引っ張り部５０ｂを有している。
図２に詳細を示すように、左側高さ方向引っ張り部５０ａは、顔の左側に設けられ、マスク本体部１０の上述した左側基部３１ａの上側輪郭線３４ａから高さ方向に延びるように形成されている。すなわち、左側高さ方向引っ張り部５０ａは、上述した左方向引っ張り部３０ａと左側基部３１ａを共有しつつ、連結部５２ａと左側高さ方向延長部５３ａを有している。左側高さ方向延長部５３ａは、連結部５２ａを介して左側基部３１ａの上側輪郭線３４ａと連結し、顔の左側から高さ方向に延びている。なお、連結部５２ａと同幅の領域であって、左側高さ方向延長部５３ａの延長方向と反対方向に連結部５２ａから延びる領域５２ｃが、左側基部３１ａの一部を介してマスク本体部１０の左側縁部（つまりマスク本体部１０の顎相当部から顔の頬相当位置であって顔の左側部相当部にかけての部分）を含むように、連結部５２ａが設けられている。つまり、左側高さ方向延長部５３ａに引っ張り力が付与されたとき、マスク本体部１０を介して顎から顔の左側部にかけて付与された引っ張り力が効率よく及ぶように構成されている。
【００２４】
図３に詳細を示すように、右側高さ方向引っ張り部５０ｂは、顔の右側に設けられ、マスク本体部１０の上述した右側基部３１ｂの上側輪郭線３４ｂから延びるように形成されている。すなわち、右側高さ方向引っ張り部５０ｂは、右方向引っ張り部３０ｂと右側基部３１ｂを共有しつつ、連結部５２ｂと右側高さ方向延長部５３ｂを有しており、右側高さ方向延長部５３ｂは、連結部５２ｂを介して右側基部３１ｂの上側輪郭線３４ｂと連結し、顔の右側から高さ方向に延びている。なお、上述した左側と同様に右側においても、連結部５２ｂと同幅の領域であって、右側高さ方向延長部５３ｂの延長方向と反対方向に連結部５２ｂから延びる領域５２ｄが、右側基部３１ｂの一部を介してマスク本体部１０の右側縁部（つまりマスク本体部１０の顎相当部から顔の頬相当位置であって顔の右側部相当部にかけての部分）を含むように、連結部５２ｂが設けられている。つまり、右側高さ方向延長部５３ｂに引っ張り力が付与されたとき、マスク本体部１０を介して顎から顔の右側部にかけて付与された引っ張り力が効率よく及ぶように構成されている。
【００２５】
以上の如く構成された左側高さ方向延長部５３ａおよび右側高さ方向延長部５３ｂは、それぞれ頭頂部まで達することができ、左側高さ方向延長部５３ａを左側から高さ方向に引っ張り、右側高さ方向延長部５３ｂを右側から高さ方向に引っ張る。そして、各延長部５３ａ，５３ｂを引っ張った状態で相互に終端部５７ａ，５７ｂを頭頂部で締結する。これにより、左側高さ方向引っ張り部５０ａは、顎から顔の左側部にかけて顔を高さ方向に引っ張るように構成され、右側高さ方向引っ張り部５０ｂは、顎から顔の右側部にかけて顔を高さ方向に引っ張るように構成される。つまり、図７に示すように、各延長部５３ａ，５３ｂの引っ張り力を、マスク本体部１０を介して側方から頬および顎に伝えつつ顔を高さ方向に引っ張ることができ、顔の皺をのばす効果は勿論のこと、顎から顔の側部にかけてのラインのシェイプアップにも同時に寄与することができる。また、図８に示すように、左右方向引っ張り部３０および高さ方向引っ張り部５０により顔の表皮を左右方向および高さ方向のいずれにも引っ張ることにより、顔の皺のばしやシェイプアップに相乗した効果がもたらされるのも勿論である。
【００２６】
なお、上述からも明らかなように、本考案において高さ方向引っ張り部５０の引っ張り方向は、高さ方向延長部５３ａ，５３ｂが相互に締結される方向つまり顔の側部から頭頂部に延びる方向として定義される。より詳しくは、図９に示すように、本考案においては、高さ方向引っ張り部５０の引っ張り方向は、水平軸方向に対し５０°乃至９０°の範囲に設定される。
【００２７】
〔各延長部の締結方法の詳細〕
上述した各延長部３３ａ，３３ｂ，５３ａ，５３ｂの締結方法の詳細は以下の通り説明される。
すなわち、図１０に示すように、左右方向引っ張り部３０および高さ方向引っ張り部５０の各延長部３３ａ，３３ｂ，５３ａ，５３ｂは、連結部３２ａ，３２ｂ，５２ａ，５２ｂとの連結側に所定の間隔４１ａ，４１ｂ，５１ａ，５１ｂをおいてそれぞれ２か所に面ファスナー４２ａおよび４３ａ，４２ｂおよび４３ｂ，５４ａおよび５５ａ，５４ｂおよび５５ｂを設けている（図１０（ａ））。
【００２８】
つまり、各延長部３３ａ，３３ｂ，５３ａ，５３ｂの面ファスナー４２ａ，４２ｂ，５４ａ，５４ｂ部分を連結部３２ａ，３２ｂ，５２ａ，５２ｂの挿入口３９ａ，３９ｂ，５６ａ，５６ｂに間隔４１ａ，４１ｂ，５１ａ，５１ｂの中間部まで差し込み（図１０（ｂ））、次いで差し込み部分を折り返して、面ファスナー４２ａ，４２ｂ，５４ａ，５４ｂと他方の面ファスナー４３ａ，４３ｂ，５５ａ，５５ｂを締結する（図１０（ｃ））。これにより、連結部３２ａ，３２ｂ，５２ａ，５２ｂと各延長部３３ａ，３３ｂ，５３ａ，５３ｂを連結することができる。
【００２９】
各延長部３３ａ，３３ｂ，５３ａ，５３ｂは終端部４５ａ，４５ｂ，５７ａ，５７ｂにも面ファスナーを設けており、終端部４５ａ，４５ｂ，５７ａ，５７ｂの相互間も面ファスナーを介して締結することができる（図１０（ｄ））。
なお、面ファスナー４２ａおよび４３ａ，４２ｂおよび４３ｂ，５４ａおよび５５ａ，５４ｂおよび５５ｂの位置を適宜に設定することにより、様々な顔の大きさや要求される引っ張り力に対応することができる。
【００３０】
〔基部および連結部の材質〕
上述した左右方向引っ張り部３０および高さ方向引っ張り部５０の左側基部３１ａ、右側基部３１ｂ、連結部３２ａ，３２ｂ，５２ａ，５２ｂは、マスク本体部１０と一体に形成されており、いずれもシリコン、ポリビニルアルコール（ＰＶＡ）、キトサン（Ｃｈｉｔｏｓａｎ）、ポリエチレンオキサイド（ＰＥＯ）、PET-PEB blend（ポリエチレンテレフタレートとポリブチレンテレフタレートのブレンド）、およびポリウレタン（ＰＵ）等またはこれらの混合物等の天然素材および生体適合性素材が使用される等、上述したマスク本体部１０と同様の材料で形成されている。すなわち、左側基部３１ａ、右側基部３１ｂ、連結部３２ａ，３２ｂ，５２ａ，５２ｂも、可撓性、伸縮性、および弾力性を有し、かつ、吸着性乃至接着性も有する軟質な材料で形成され、顔に密着して装着することができる。
【００３１】
〔振動発生機の全体構成〕
図１に戻り、振動発生機３は、振動器６０、振動設定器７０、電源８０、および振動器ハウジング９０を有している。
すなわち、振動器６０は、モータを内蔵しており、電源８０により電力を供給することにより、モータを動作させることができる。電源８０には乾電池等が使用され、電源８０は、振動設定器７０に内蔵されている。振動設定器７０は、電源８０のオンオフを行う他、振動器６０により発生する振動を適宜に設定することができる。
【００３２】
〔振動設定器による振動の設定〕
すなわち、振動器６０の振動は、振動設定器７０の操作部を操作することにより強度を変更したり、図１１に示すように長さや周期を変更したり、更には各種のリズムに変更することができる。このように、振動の強度、長さ、周期、またはリズムを適宜に設定することにより美顔効果を調節することができる。また、美容マスク２を長時間装着する際には使用者がストレスを感じることもあるが、特に振動のリズムを適宜に設定することにより使用者のストレスの緩和にも寄与することができる。なお、振動設定器７０は、予め設定された各種のリズムを選択可能に構成されるとともに、任意に振動のリズムを設定可能とすべくリズム設定部を有している。なお、振動設定器７０は記憶部と設定部を有し、予め各種のリズムが記憶部に記憶されるとともに、振動設定器７０の操作部を所要に操作することにより、設定部が振動器６０により発生する振動のリズムを、記憶された各種のリズムに設定することができる。また、振動設定器７０は、操作部を所要に操作することにより、使用者が任意に各種のリズムを生成することができる生成部を有し、同様に操作部を所要に操作することにより、設定部が振動器６０により発生する振動のリズムを、生成部により生成された各種のリズムに設定することができる。振動のリズムは、振動の強度、長さ、周期を適宜に組み合わせて生成することができ、例えば、音楽のリズムや手拍子のリズム等に設定される。
【００３３】
〔振動器ハウジングの構成〕
ここで、振動器６０は、振動器ハウジング９０に収納されつつマスク本体部１０に装着される。図１２に示すように、振動器ハウジング９０は、振動器６０と略同形で短尺な円柱形状に形成されており、上部側に収納空間部９１および挿入口９２を有し、下部側に接着部９３を有している。
すなわち、振動器ハウジング９０は、挿入口９２を介して振動器６０を挿抜自在に収納空間部９１に収納する。そして、接着部９３は、マスク本体部１０と着脱自在に接着可能な構成となっている。
【００３４】
つまり、振動器６０の美容マスク２への接着により接着部９３に塵が付着する等汚れることが多いが、このように接着部９３が汚れる場合にあっては、振動器６０から振動器ハウジング９０を外して別の振動器ハウジング９０を振動器６０に装着すればよく、美容マスク装置１の使用が中断されることが少ない。また、汚れが酷い場合にあっても、振動器６０の交換を要することなく振動器ハウジング９０の交換をすれば足りるので使用者の経済的な負担も緩和することができる。
【００３５】
また、収納空間部９１および挿入口９２の寸法は、振動器６０の寸法よりも小さく設定されている。これにより、振動器６０を隙間なく収納空間部９１に密着して収納することができ、振動器６０による振動を、振動器ハウジング９０を介しても顔に確実に伝達することができる。また、挿入口９２を振動器６０の寸法よりも小さく設定することで、振動器ハウジング９０から振動器６０が抜け出すことを確実に防止することができる。
【００３６】
ここで、振動器ハウジング９０は、可撓性、伸縮性、および弾力性を有し、かつ、吸着性乃至接着性を有する軟質な材料で形成されている。
すなわち、図１３に示すように、収納空間部９１および挿入口９２の寸法を振動器６０の寸法よりも小さく設定しても、振動器ハウジング９０を柔軟に変形させながら振動器６０を収納することができ、振動器６０の挿入動作を容易に行うことができる。なお、本考案においては、振動器ハウジング９０は接着部９３を含め、シリコンで形成されている。接着部９３をシリコンで形成することで数万回の使用に耐え得る。
【００３７】
更に振動器ハウジング９０は、上面に孔９４を有している。すなわち、孔９４は、挿入口９２と異なるに位置に設けられる孔であって、収納空間部９１と連通するように設けられている。よって、振動器６０を挿入口９２から挿入する際に収納空間部９１が密閉空間とならず空気を外部に抜きながら振動器６０を挿入することができ、振動器６０の挿入動作を更に容易に行うことができる。
なお、振動発生機３は振動器ハウジング９０を載置するボード９５を有している。振動器６０を使用しない場合は、振動器ハウジング９０に振動器６０を収納したままの状態で振動器ハウジング９０の接着部９３をボード９５に接着させて保管する。また、予備の振動器ハウジング９０もボード９５に接着させて保管される。このように振動器ハウジング９０を保管することで、接着部９３への塵の付着を防止することができる。ボード９５は、例えば透明アクリル板で形成される。
【００３８】
なお、本考案は上述した実施形態に限定されるものではなく、必要に応じて種々の応用実施または変形実施が可能であることは勿論である。例えば、上述の実施形態では、パッチ１００を顔の所定部位に貼り付けた状態でパッチ１００の上から顔にマスク本体部１０を装着することとしているが、パッチ１００を貼り付けずにマスク本体部１０を装着する場合、パッチ１００に代えて他の化粧品や薬剤を顔に塗布した状態で顔にマスク本体部１０を装着する場合のいずれも含むものとする。
【００３９】
また、上述の実施形態においては、引っ張り部２０により顔の表皮を左右方向および高さ方向のいずれにも引っ張ることとしているが、引っ張り方向を左右方向および高さ方向のいずれか一方のみとしてもよい。
【産業上の利用可能性】
【００４０】
本考案は、美容マスク装置に利用できる。具体的には、振動器の接着部分が汚れる場合にあっても使用が中断されることが少なく、かつ、振動器の交換も要せず使用者の経済的な負担も緩和することができ、美容マスク装置の新たな市場の開拓に貢献する。
【図面の簡単な説明】
【００４１】
【図１】本考案の実施形態に係る美容マスク装置の全体構成を示す図である。
【図２】美容マスク装置における美容マスクの左側の構成を示す図である。
【図３】美容マスク装置における美容マスクの右側の構成を示す図である。
【図４】美容マスクの左方向引っ張り部による引っ張り力の伝わり方を説明するための図である。
【図５】美容マスクの右方向引っ張り部による引っ張り力の伝わり方を説明するための図である。
【図６】美容マスクの左右方向引っ張り部の引っ張り方向を説明するための図である。
【図７】美容マスクの高さ方向引っ張り部による引っ張り力の伝わり方を説明するための図である。
【図８】美容マスクを左右方向および高さ方向のいずれにも引っ張った状態を示す図である。
【図９】美容マスクの高さ方向引っ張り部の引っ張り角度を説明するための図である。
【図１０】引っ張り部における延長部の締結方法を説明するための図で、（ａ）は延長部と連結部が締結する前の状態を示す図、（ｂ）は延長部の連結側を連結部の挿入孔に差し込んだ状態を示す図、（ｃ）は延長部の差し込み部分を折り返して面ファスナーにより連結部分が締結された状態を示す図、（ｄ）は延長部の終端部が相互に締結された状態を示す図である。
【図１１】振動発生機による振動の強度および周期を説明するための図である。
【図１２】振動器ハウジングの構成を示す図で、（ａ）は上部側の上面図、（ｂ）は側面図、（ｃ）は下部側の底面図である。
【図１３】振動器ハウジングへの振動器の挿入動作を説明するための図で、（ａ）は振動器が挿入される前の状態を示す図、（ｂ）は振動器が挿入され振動器ハウジングが変形し、かつ、収納空間の空気が外部に抜ける状態を示す図、（ｃ）は振動器が振動器ハウジングに挿入された状態を示す図である。
【図１４】従来の美容マスク装置を示す図である。
【符号の説明】
【００４２】
１  ：美容マスク装置、
２  ：美容マスク、
３  ：振動発生機、
１０：マスク本体部、
１１乃至１５：開口、
１６ａ：左側端部、
１６ｂ：右側端部、
２０：引っ張り部、
３０：左右方向引っ張り部、
３０ａ：左方向引っ張り部、
３０ｂ：右方向引っ張り部、
３１ａ：左側基部、
３１ｂ：右側基部、
３２ａ，３２ｂ：連結部、
３３ａ：左方向延長部、
３３ｂ：右方向延長部、
３４ａ，３４ｂ：上側輪郭線、
３５ａ，３５ｂ：下側輪郭線、
３６ａ，３６ｂ：後側輪郭線、
３７ａ，３７ｂ：額相当部の輪郭線、
３８ａ，３８ｂ：顎相当部の輪郭線、
３９ａ，３９ｂ：挿入口、
４１ａ，４１ｂ，５１ａ，５１ｂ：間隔、
４２ａ，４２ｂ，４３ａ，４３ｂ：面ファスナー、
４５：顔の左右方向の中心ライン、
４５ａ，４５ｂ：終端部（面ファスナー）、
５０：高さ方向引っ張り部、
５０ａ：左側高さ方向引っ張り部、５０ｂ：右側高さ方向引っ張り部、
５２ａ，５２ｂ：連結部、
５２ｃ，５２ｄ：領域、
５３ａ：左側高さ方向延長部、
５３ｂ：右側高さ方向延長部、
５４ａ，５４ｂ，５５ａ，５５ｂ：面ファスナー、
５６ａ，５６ｂ：挿入口、
５７ａ，５７ｂ：終端部（面ファスナー）、
６０：振動器、
７０：振動設定器、
８０：電源、
９０：振動器ハウジング、
９１：収納空間部、
９２：挿入口、
９３：接着部、
９４：孔、
９５：ボード、
１００：パッチ、
１１０：パッチ、
１２０：美容マスク、
１４０：振動器
【図１】
0003185188.tif 000003
【図２】
0003185188.tif 000004
【図３】
0003185188.tif 000005
【図４】
0003185188.tif 000006
【図５】
0003185188.tif 000007
【図６】
0003185188.tif 000008
【図７】
0003185188.tif 000009
【図８】
0003185188.tif 000010
【図９】
0003185188.tif 000011
【図１１】
0003185188.tif 000012
【図１０】
0003185188.tif 000013
【図１２】
0003185188.tif 000014
【図１３】
0003185188.tif 000015
【図１４】
0003185188.tif 000016